(57)【要約】【課題】  エアゾール容器用カバー体において、エアゾール容器の内容物を吐出するためのボタンの押し下げ操作力を軽減するとともに、エアゾール容器から簡易に取り外し可能とすること。【解決手段】  エアゾール容器用カバー体１０であって、ボタン３０におけるエアゾール容器１のステム４との嵌着部３２を挟むヒンジ部４０の反対側に押し部３５を設け、該押し部３５に加える押し下げ操作力によってステム４を押し下げ可能にし、ボタン３０におけるエアゾール容器１のステム４との嵌着部３２を挟む押し部３５の反対側に衝合部３６を設け、該押し部３５に加える押し上げ操作力により衝合部３６を取着具２０に衝合して該取着具２０をエアゾール容器１の突条部５から取外し可能にするもの。【選択図】  図２
2018127276.tif 000002
【特許請求の範囲】
【請求項１】
エアゾール容器の上面に設けた突条部に嵌合して取付けられる取着具と、エアゾール容器の上面中央部より突設するステムに嵌着され、該ステムに連通する吐出口を備えるボタンとを有し、
ボタンに加える押し下げ操作力によるステムの押し下げによりエアゾール容器の内容物を吐出口から吐出可能にするエアゾール容器用カバー体であって、
取着具が、エアゾール容器の突条部に嵌合する嵌合部を備え、
取着具とボタンとが、該取着具におけるエアゾール容器の突条部との嵌合部と、該ボタンにおけるエアゾール容器のステムとの嵌着部との中間位置に設けたヒンジ部を介して結合され、
ボタンにおけるエアゾール容器のステムとの嵌着部を挟むヒンジ部の反対側に押し部を設け、該押し部に加える押し下げ操作力によってステムを押し下げ可能にし、
ボタンにおけるエアゾール容器のステムとの嵌着部を挟む押し部の反対側に衝合部を設け、該押し部に加える押し上げ操作力により衝合部を取着具に衝合して該取着具をエアゾール容器の突条部から取外し可能にするエアゾール容器用カバー体。
【請求項２】
前記取着具が、エアゾール容器の上面のステムを囲む周方向に沿う一部においてだけ、該エアゾール容器の突条部に嵌合する嵌合部を備える請求項１に記載のエアゾール容器用カバー体。
【請求項３】
前記ボタンの押し部がエアゾール容器におけるステムへの嵌着部から該エアゾール容器の外方向に延びる長手状をなし、該押し部の長手方向に沿う直線上で、該ステムへの嵌着部を挟む該押し部の反対側に、前記取着具を設けるとともに、該ボタンの吐出口を設けてなる請求項１又は２に記載のエアゾール容器用カバー体。
【請求項４】
前記エアゾール容器の突条部が該エアゾール容器におけるマウンテンカップの上面のステムを囲む周方向に周設されたリング状の突条部であり、
前記取着具の嵌合部が、上記リング状の突条部の外周部に係合する外周側凸部と、該突条部の内周部に係合する内周側凸部とを備え、
上記取着具の外周側凸部と内周側凸部が互いに、上記リング状の突条部における上記周方向に沿う異なる範囲に設定される請求項１乃至３のいずれかに記載のエアゾール容器用カバー体。
【発明の詳細な説明】
【技術分野】
【０００１】
本発明は、エアゾール容器用カバー体に関する。
【背景技術】
【０００２】
エアゾール容器用カバー体として、特許文献１に記載の如く、エアゾール容器の上面に周設されたリング状の突条部に嵌合して取付けられるリング帯状部を有するとともに、このリング帯状部にヒンジ部を介して結合されたボタンを有するものがある。ボタンは、エアゾール容器の上面中央部より突設するステムに嵌着され、該ステムに連通する吐出口を備える。
【０００３】
ボタンは、エアゾール容器のステムとの嵌着部を挟むヒンジ部の反対側に操作部を備え、該操作部に加える押し下げ操作力によってステムを押し下げ、エアゾール容器の内容物を吐出口から吐出可能にする。
【０００４】
ボタンの操作部に加えた押し下げ操作力は、ヒンジ部を支点とするテコの原理によって拡大されてステムを押し下げる。従って、内容物を吐出させるためにボタンの操作部に加える押し下げ操作力を軽減できる。
【先行技術文献】
【特許文献】
【０００５】
【特許文献１】特開平9-216673号公報
【発明の概要】
【発明が解決しようとする課題】
【０００６】
しかしながら、特許文献１に記載のエアゾール容器用カバー体には以下の問題点がある。
(1)カバー体のリング帯状部が、エアゾール容器の上面に周設されたリング状の突条部の全周に渡って嵌合されて取付けられる。従って、カバー体は、エアゾール容器の廃棄段階で、該エアゾール容器から取り外し可能にする構造として、リング帯状部の周方向の一部に切り離し部を設けている。この切り離し部でリング帯状部の周方向の一部を切り離すことにより、該リング帯状部とエアゾール容器の突条部との嵌合を解除するものである。
【０００７】
(2)上述(1)の通り、リング帯状部に設けた切り離し部を切り離すことから、カバー体の取り外しに手間と力が必要とされ、カバー体の再利用もできない。
【０００８】
本発明の課題は、エアゾール容器用カバー体において、エアゾール容器の内容物を吐出するためのボタンの押し下げ操作力を軽減するとともに、エアゾール容器から簡易に取り外し可能とすることにある。
【課題を解決するための手段】
【０００９】
請求項１に係る発明は、エアゾール容器の上面に設けた突条部に嵌合して取付けられる取着具と、エアゾール容器の上面中央部より突設するステムに嵌着され、該ステムに連通する吐出口を備えるボタンとを有し、ボタンに加える押し下げ操作力によるステムの押し下げによりエアゾール容器の内容物を吐出口から吐出可能にするエアゾール容器用カバー体であって、取着具が、エアゾール容器の突条部に嵌合する嵌合部を備え、取着具とボタンとが、該取着具におけるエアゾール容器の突条部との嵌合部と、該ボタンにおけるエアゾール容器のステムとの嵌着部との中間位置に設けたヒンジ部を介して結合され、ボタンにおけるエアゾール容器のステムとの嵌着部を挟むヒンジ部の反対側に押し部を設け、該押し部に加える押し下げ操作力によってステムを押し下げ可能にし、ボタンにおけるエアゾール容器のステムとの嵌着部を挟む押し部の反対側に衝合部を設け、該押し部に加える押し上げ操作力により衝合部を取着具に衝合して該取着具をエアゾール容器の突条部から取外し可能にするようにしたものである。
【発明の効果】
【００１０】
本発明によれば、エアゾール容器用カバー体において、エアゾール容器の内容物を吐出するためのボタンの押し下げ操作力を軽減するとともに、エアゾール容器から簡易に取り外しできる。
【図面の簡単な説明】
【００１１】
【図１】図１は第１実施形態に係るエアゾール容器用カバー体を示す外観図である。
【図２】図２はエアゾール容器用カバー体を示し、（Ａ）はボタンのステムへの嵌着状態を示す断面図、（Ｂ）はボタンの押し上げ回転状態を示す断面図である。
【図３】図３はエアゾール容器用カバー体を示す平面図である。
【図４】図４は図３のIV-IV線に沿う断面図である。
【図５】図５はエアゾール容器用カバー体を示す底面図である。
【図６】図６はエアゾール容器用カバー体を斜め前方から視た斜視図である。
【図７】図７はエアゾール容器用カバー体を斜め後方から視た斜視図である。
【図８】図８はエアゾール容器用カバー体を斜め下方から視た斜視図である。
【図９】図９は第２実施形態に係るエアゾール容器用カバー体を示す外観図である。
【図１０】図１０はエアゾール容器用カバー体を示し、（Ａ）はボタンのステムへの嵌着状態を示す断面図、（Ｂ）はボタンの押し上げ回転状態を示す断面図である。
【図１１】図１１はエアゾール容器用カバー体を示す断面図である。
【発明を実施するための形態】
【００１２】
（第１実施形態）（図１乃至図８）
図１に示したエアゾール容器１は、金属等からなる容器本体２の上端部にマウンテンカップ３を加締め止め等によって固定し、このマウンテンカップ３の上面中央部より外方へ突設するステム４を備える。エアゾール容器１は、ステム４を外方から内方へ押し下げ可能にしており、該ステム４を押し下げることにより内蔵吐出弁が開き、ガス圧で内容物をステム４の上端開口から吐出可能にしている。
【００１３】
尚、本明細書では、正立されたエアゾール容器１の突条部５に取着具２０が嵌合して取付けられ、該エアゾール容器１のステム４にボタン３０が嵌着された状態で、カバー体１０の前後について、ボタン３０におけるステム４との嵌着部３２に対してヒンジ部４０が設けられる側を「前」といい、その反対側を「後」という。また、カバー体１０の上下について、取着具２０における突条部５との嵌合部２１、及びボタン３０におけるステム４０との嵌着部３２が設けられる側を「下」といい、その反対側を「上」という。
【００１４】
本実施形態におけるエアゾール容器用カバー体１０は、図１、図２に示す如く、取着具２０とボタン３０を有して構成されている。取着具２０は、エアゾール容器１の上面外側縁部に設けた突条部５に嵌合する嵌合部２１を備える。ボタン３０は、本体部３１に、エアゾール容器１のステム４に嵌着される丸孔状嵌着部３２を備えるとともに、該ステム４に連通路３４を介して連通する丸孔状吐出口３３を備える。ボタン３０に加える押し下げ作用力によるステム４の押し下げにより、エアゾール容器１の内容物をステム４経由で吐出口３３から吐出可能にする。
【００１５】
尚、取着具２０が嵌合して取付けられるエアゾール容器１の突条部５は、エアゾール容器１において容器本体２の上端部にマウンテンカップ３を加締め止め等するために、該マウンテンカップ３の上面のステム４を囲む周方向に周設されたリング状の突条部からなるものとされる。
【００１６】
ここで、カバー体１０は、プラスチックを金型成形する等によって製作された成形体からなり、図３乃至図８に示す如く、取着具２０とボタン３０とが薄肉ヒンジ部４０を介して結合されて構成される。即ち、取着具２０とボタン３０とは、取着具２０におけるエアゾール容器１の突条部５との嵌合部２１と、ボタン３０におけるエアゾール容器１のステム４との嵌着部３２との中間位置に設けたヒンジ部４０を介して結合される。ヒンジ部４０は、薄肉帯状体４１からなり、帯状体４１の両端部を取着具２０の上面後縁部と、ボタン３０における本体部３１の下面前縁部のそれぞれに接続される。
【００１７】
カバー体１０の取着具２０は、エアゾール容器１の上面のステム４を囲む周方向に沿う一部（リング状の突条部５がステム４を囲む一定の角度範囲）においてだけ、該エアゾール容器１の突条部５に嵌合する嵌合部２１を、カバー体１０の下方に臨ませて備える。
【００１８】
カバー体１０のボタン３０は、エアゾール容器１のステム４に嵌着する嵌着部３２を、本体部３１の下面中央部に設けてカバー体１０の下方に臨ませて開口するとともに、吐出口３３を本体部３１の前面中央部に設けてエアゾール容器１の前方に臨ませて開口する。ボタン３０は、嵌着部３２から上方に延びる縦孔３４Ａと、縦孔３４Ａの上端部から前方に延びる横孔３４Ｂを本体部３１の内部に有し、縦孔３４Ａと横孔３４ＢからなるＬ字状連通路３４によって、嵌着部３２と吐出口３３を接続している。
【００１９】
更に、カバー体１０にあっては、ボタン３０の本体部３１におけるエアゾール容器１のステム４との嵌着部３２を挟むヒンジ部４０の反対側に位置する舌片状押し部３５を、該本体部３１の下面寄り後端部から後方に向かう外方向へ延出させて設けている。押し部３５に加える押し下げ操作力によって該ボタン３０をヒンジ部４０まわりに回転し、該ステム４を押し下げ可能にする。このとき、ボタン３０の押し部３５に加えた押し下げ操作力Ｆは、図２（Ａ）に示す如く、ヒンジ部４０を支点とするテコの原理によって拡大された押し下げ作用力Ｇをエアゾール容器１のステム４に作用し、該ステム４を押し下げる。押し部３５から支点としてのヒンジ部４０までの長さをａ、嵌着部３２（ステム４）から支点としてのヒンジ部４０までの長さをｂとするとき、Ｇ＝（ａ／ｂ）Ｆに拡大される。
【００２０】
また、カバー体１０にあっては、ボタン３０の本体部３１におけるエアゾール容器１のステム４との嵌着部３２を挟む押し部３５の反対側に位置する衝合部３６を、該本体部３１の外周面の前面中央部に設けている。押し部３５に加える押し上げ操作力Ｒにより衝合部３６を取着具２０の外面との衝合点Ｔで衝合して該取着具２０をエアゾール容器１の突条部５から取り外し可能にする。このとき、ボタン３０の押し部３５に加える押し上げ操作力Ｒは、図２（Ｂ）に示す如く、ボタン３０の衝合部３６と取着具２０との衝合点Ｔを支点とするテコの原理によって拡大された取り外し作用力Ｓを、該取着具２０におけるエアゾール容器１の突条部５との嵌合部２１に及ぼし、該取着具２０の嵌合部２１を該突条部５から取り外す。押し部３５から支点としての衝合点Ｔまでの長さをｃ、ヒンジ部４０から支点としての衝合点Ｔまでの長さをｄとするとき、Ｓ＝（ｃ／ｄ）Ｒに拡大される。
【００２１】
尚、カバー体１０にあっては、ボタン３０の押し部３５がエアゾール容器１におけるステム４への嵌着部３２から後方に向かう外方向に延びる長手状をなし、該押し部３５の長手方向に沿う直線上で、該ステム４への嵌着部３２を挟む該押し部３５の反対側に、前記取着具２０を設けるとともに、該ボタン３０の吐出口３３を設ける。
【００２２】
また、カバー体１０にあっては、取着具２０の嵌合部２１が、エアゾール容器１におけるマウンテンカップ３の上面のステム４を囲む周方向に周設されたリング状の突条部５の外周部５Ａに係合する外周側凸部２１Ａと、該突条部５の内周部５Ｂに係合する内周側凸部２１Ｂとからなる。そして、取着具２０の外周側凸部２１Ａと内周側凸部２１Ｂは、互いに、上記リング状の突条部５における上記周方向に沿う異なる範囲に設定される。本実施形態において、取着具２０に嵌合部２１は、図５に示す如く、リング状の突条部５がステム４を囲む角度範囲θaに対応するように設定された１つの外周側凸部２１Ａと、該突条部５がステム４を囲む角度範囲θb1、θb2のそれぞれに対応するように設定された２つの内周側凸部２１Ｂ、２１Ｂとからなる。２つの内周側凸部２１Ｂ、２１Ｂ（θb1、θb2）は、リング状の突条部５がステム４を囲む周方向において、１つの外周側凸部２１Ａ（θa）を挟む両側に位置する。
【００２３】
従って、カバー体１０は以下の如くに使用される。
(A)エアゾール容器１の内容物を吐出するとき。
ボタン３０の押し部３５に押し下げ操作力Ｆを加える。押し部３５に加えた押し下げ操作力Ｆは、ヒンジ部４０を支点とするテコの原理によって拡大された押し下げ作用力Ｇをステム４に及ぼし、エアゾール容器１の内容物をステム４経由でボタン３０の吐出口３２から吐出させる。
【００２４】
(B)エアゾール容器１の内容物を使い切って該エアゾール容器１を廃棄するとき。
i．ボタン３０の押し部３５に押し上げ操作力Ｒを加え、ボタン３０をヒンジ部４０回りに回転させ、ボタン３０の嵌着口３３をステム４から抜き外し、ボタン３０の衝合部３６を取着具２０の外面に衝合させる。
【００２５】
ii．ボタン３０の押し部３５に加える押し上げ操作力Ｒを高める。押し部３５に加えた押し上げ操作力Ｒは、上記の衝合部３６と取着具２０との衝合点Ｔを支点とするテコの原理によって拡大された取り外し作用力Ｓを、該取着具２０におけるエアゾール容器１の突条部５との嵌合部２１に及ぼし、該取着具２０の嵌合部２１を該突条部５から取り外す。カバー体１０の全体（取着具２０及びボタン３０）がエアゾール容器１から取り外されるものになる。
【００２６】
これにより、エアゾール容器１の廃棄段階で、エアゾール容器１とカバー体１０とを分別処理でき、カバー体１０を再利用することもできる。
【００２７】
従って、本実施形態によれば以下の作用効果を奏する。
(a)ボタン３０の押し部３５に加える押し下げ操作力Ｆによって、ヒンジ部４０を揺動中心として該ボタン３０を揺動させることにより、押し下げ操作力Ｆはヒンジ部４０を支点とするテコの原理によって拡大された押し下げ作用力Ｇをエアゾール容器１のステム４に及ぼし、該ステム４を押し下げる。従って、内容物を吐出させるためにボタン３０の押し部３５に加える押し下げ操作力Ｆを軽減できる。例えば年配の使用者がエアゾール容器１の内容物を連続噴霧しようとして繰り返し押し下げ操作しても指の疲れを低減できる。
【００２８】
(b)ボタン３０の押し部３５に加える押し上げ操作力Ｒによって、ヒンジ部４０を回転中心として該ボタン３０を回転させることにより、該ボタン３０のステム４との嵌着部３２を該ステム４から抜き外し、エアゾール容器１の突条部５に嵌合している取着具２０に該ボタン３０の衝合部３６を衝合させる。ボタン３０の衝合部３６を取着具２０に衝合させた後、該ボタン３０の押し部３５に加える押し上げ操作力Ｒを高めると、押し上げ操作力Ｒは上記の衝合部３６と取着具２０との衝合点Ｔを支点とするテコの原理によって拡大された取り外し作用力Ｓを、該取着具２０におけるエアゾール容器１の突条部５との嵌合部２１に及ぼし、該取着具２０の嵌合部２１を該突条部５から取り外す。カバー体１０は、ボタン３０の押し部３５に加えた押し上げ操作力Ｒがテコの原理によって拡大されてエアゾール容器１の突条部５との上記嵌合部２１に及ぶことから簡易に取り外しできる。
【００２９】
(c)カバー体１０は、取着具２０が、エアゾール容器１の上面のステム４を囲む周方向に沿う一部においてだけ、該エアゾール容器１の突条部５に嵌合する嵌合部２１を備える。従って、カバー体１０は、取着具２０の嵌合部２１がエアゾール容器１の周方向の一部においてだけ該エアゾール容器１の突条部５に嵌合していて取り外し易い上に、ボタン３０の押し部３５に加えた押し上げ操作力Ｒがテコの原理によって拡大されてエアゾール容器１の突条部５との上記嵌合部２１に及ぶことから一層簡易に取り外しできる。
【００３０】
(d)ボタン３０における押し部３５の長手方向に沿う直線上で、エアゾール容器１のステム４への嵌着部３２を挟む該押し部３５の反対側に、取着具２０及びヒンジ部４０を設けるとともに、ボタン３０の吐出口３３を設けた。
【００３１】
ボタン３０の押し部３５及びステム４への嵌着部３２と、取着具２０及びヒンジ部４０とが一直線上又は略一直線上に配置されるとき、前述(a)のボタン３０の押し部３５に加える押し下げ操作力による該ボタン３０の揺動操作、及び前述(b)のボタン３０の押し部３５に加える押し上げ操作力による該ボタン３０の回転操作の各操作性が良い。
【００３２】
尚、ボタン３０の押し部３５及びステム４への嵌着部３２と、取着具２０及びヒンジ部４０とは、テコの原理を利用できる位置関係にあれば良く、一直線上又は略一直線上に配置されることを必須としない。
【００３３】
また、ボタン３０の押し部３５及びステム４への嵌着部３２と、ボタン３０の吐出口３３とが一直線上又は略一直線上に配置されるとき、使用者は、ボタン３０の押し部３５に加える押し下げ操作による吐出口３３からの内容物の吐出方向が該押し部３５の長手方向に沿う方向になることを容易に認識でき、使い勝手が良い。
【００３４】
(e)カバー体１０は、取着具２０の嵌合部２１が備える外周側凸部２１Ａと内周側凸部２１Ｂを、エアゾール容器１におけるマウンテンカップ３に周設されたリング状の突条部５の外周部５Ａと内周部５Ｂに係合する。前述(a)のボタン３０の押し下げ操作力Ｆが支点となるヒンジ部４０を介して取着具２０に引き上げ力Ｈを及ぼすこととなるとき、該取着具２０の嵌合部２１は上記リング状の突条部５の外周側と内周側の両側に確実に係合していて、取着具２０が上記引き上げ力Ｈによって該突条部５から引き抜かれるおそれがない。
【００３５】
(f)取着具２０に備えた上述(d)の外周側凸部２１Ａと内周側凸部２１Ｂは、互いに、上記リング状の突条部５の周方向に沿う異なる範囲に設定される。従って、カバー体１０の成形時に、取着具２０の外周側凸部２１Ａと内周側凸部２１Ｂを金型によって成形したとき、外周側凸部２１Ａと内周側凸部２１Ｂが金型の同一断面部分に両外側から係合して該同一断面部分を両外側から挟むことがないため、外周側凸部２１Ａと内周側凸部２１Ｂを有する成形品を該金型に対する型抜き方向に難なく型抜きして取り出しできる。
【００３６】
（第２実施形態）（図９乃至図１１）
第２実施形態に係るカバー体１０は、第１実施形態に係るカバー体１０におけると同様の取着具２０及びボタン３０を有し、第１実施形態に係るカバー体１０におけるヒンジ部４０をヒンジ部５０に代えたことにある。即ち、ヒンジ部５０は、ピン５１からなり、取着具２０の後端側上面に立ち上げた支軸部２２に設けたピン挿通孔２２Ａと、ボタン３０における本体部３１の下面前端部に設けた支持部３７に設けたピン挿通孔３７Ａに挿通され、取着具２０とボタン３０とを結合する。
【００３７】
第２実施形態に係るカバー体１０においても、第１実施形態に係るカバー体１０におけると同様の作用効果を奏する。
【００３８】
尚、本発明において、カバー体の取着具は、エアゾール容器の上面のステムを囲む周方向の全周に渡って、該エアゾール容器の突条部に嵌合する嵌合部を備えても良い。
【００３９】
また、取着具の嵌合部は、エアゾール容器の突条部の外周部にのみ係合し、又はエアゾール容器の突条部の内周部にのみ係合するものでも良い。
【産業上の利用可能性】
【００４０】
本発明によれば、エアゾール容器用カバー体において、エアゾール容器の内容物を吐出するためのボタンの押し下げ操作力を軽減するとともに、エアゾール容器から簡易に取り外しできる。
【符号の説明】
【００４１】
１  エアゾール容器
３  マウンテンカップ
４  ステム
５  突条部
１０  カバー体
２０  取着具
２１  嵌合部
２１Ａ  外周側凸部
２１Ｂ  内周側凸部
３０  ボタン
３１  本体部
３２  嵌着部
３３  吐出口
３５  押し部
３６  衝合部
４０、５０  ヒンジ部
【図１】
2018127276.tif 000003
【図２】
2018127276.tif 000004
【図３】
2018127276.tif 000005
【図４】
2018127276.tif 000006
【図５】
2018127276.tif 000007
【図６】
2018127276.tif 000008
【図７】
2018127276.tif 000009
【図８】
2018127276.tif 000010
【図９】
2018127276.tif 000011
【図１０】
2018127276.tif 000012
【図１１】
2018127276.tif 000013